(57)【要約】      （修正有）【課題】ＩＰアクセスネットワークにおいて保証サービス品質（ＱｏＳ：Quality of Service）を伴うサービスを提供する。【解決手段】本方法では、ネットワーク制御レイヤが、保証ＱｏＳを必要とするサービス要求に対する応答として、アクセスネットワークにネットワークリソースを要求すると、エッジルータが、アクセスネットワークが当該サービスに対する十分なリソースを提供できるかどうかを判断する。十分なリソースがある場合、エッジルータは、ＱｏＳパラメータを、保証ＱｏＳを得るためにＱｏＳ制御を行うアクセスネットワーク端末装置に送信する。【選択図】図４
2004260832.tif 000002
【特許請求の範囲】
【請求項１】
ＩＰアクセスネットワークにおいて保証サービス品質（ＱｏＳ：Quality of Service）を伴うサービスを提供するための方法であって、
ａ．ネットワークサービス制御レイヤのサービスエンティティが、サービス要求を解析することにより、発呼側の加入者及び被呼側の加入者のアドレス並びに当該サービスに対するＱｏＳ要求を取得し、対応するアクセスネットワークにネットワークリソースを要求するステップと、
ｂ．前記アクセスネットワークのエッジルータが、現在のリソース状態に基づいて、当該サービスに対して十分なリソースを提供できるかどうかを判断し、提供できる場合はステップｃを実行し、提供できない場合は加入者のサービス要求を拒絶するステップと、
ｃ．当該サービスにおいて前記アクセスネットワークの上りトラヒックストリームが存在する場合、前記エッジルータはアクセスネットワークの端末装置に対して前記サービスに対するＱｏＳ要求を通知し、前記アクセスネットワーク端末装置は前記ＱｏＳ要求に従って前記トラヒックストリームを処理し、
当該サービスにおいて前記アクセスネットワークの下りトラヒックストリームが存在する場合、前記エッジルータは、当該サービスに対するアクセスネットワーク内の優先度を設定し、前記トラヒックストリームを転送するステップと、
を有する。
【請求項２】
前記ステップｃにおいて、前記エッジルータは、受信サービスストリームに対してサービスレベルをアクセスネットワーク内の優先度に変換し、前記トラヒックストリームを転送し、又は、まずストリームを分類し、トラヒックストリームを識別した後に、識別結果をアクセスネットワーク内の優先度に変換し、前記トラヒックストリームを転送する、請求項１記載の方法。
【請求項３】
前記エッジルータが、ネットワークサービス制御レイヤのサービスエンティティに対し、アクセスネットワークがサービスに対する十分なリソースを提供できることを通知し、前記サービスエンティティから確認を受信した後に、前記ステップｃを実行する、請求項１記載の方法。
【請求項４】
前記エッジルータが、静的コンフィギュレーション又は動的管理プロトコルを通じて、少なくともアクセスネットワークのトポロジ構造及び各インタフェイスの帯域幅リソースを取得するステップをさらに有する、請求項１記載の方法。
【請求項５】
前記アクセスネットワーク端末装置が前記ステップｃにおいて前記サービスに対するＱｏＳ要求を受信した後、さらに、
前記ＱｏＳ要求におけるトラヒックストリームを識別するためのＱｏＳパラメータに従ってストリーム分類テーブルの項目を設定するステップと、
受信した当該加入者の上りトラヒックストリームを分類するステップと、
前記ストリーム分類テーブルの項目と一致するサービスストリームに対しては、帯域幅パラメータに従って帯域幅を管理し、他のサービスストリームは保証ＱｏＳを伴わないトラヒックストリームとして処理するステップと、
を有する請求項１記載の方法。
【請求項６】
前記端末装置が一致サービスストリームを転送する前記ステップは、
前記サービスストリームに高い優先度を設定した後、イーサネット（Ｒ）アクセス又はＩＰディジタル加入者線集線装置（ＤＳＬＡＭ：IP Digital Subscriber Line Access Multiplexer）アクセスに対するトラヒックストリームを転送し、また、
前記トラヒックストリームを相手先固定仮想回線（ＰＶＣ：Permanent Virtual Circuit）に対し、ＡＴＭ ＤＳＬＡＭアクセスに対する更なる転送に対する保証ＱｏＳを伴って送信することである、請求項５記載の方法。
【請求項７】
トラヒックストリームを識別するための前記パラメータは、４要素のグループ、５要素のグループ又は７要素のグループである、請求項５記載の方法。
【請求項８】
前記アクセスネットワークのエッジルータから上りトラヒックストリームに対するＱｏＳパラメータを受信する前に、前記端末装置が、当該加入者から受信したトラヒックストリームを、保証ＱｏＳを伴わないサービスストリームとして処理するステップをさらに有する、請求項１記載の方法。
【請求項９】
前記アクセスネットワークの前記アクセスネットワーク端末装置と前記エッジルータの間のネットワーク装置は、トラヒックストリームの優先度に従って、前記トラヒックストリームを転送する、請求項１記載の方法。
【請求項１０】
加入者がサービスを終了した後に、上りのトラヒックストリームがある場合、前記エッジルータがＱｏＳリリースコマンドを送信し、前記アクセスネットワーク端末装置が前記コマンドパラメータに従って、ストリーム分類テーブルの対応する項目を削除するステップをさらに有する、請求項５から請求項７の何れかに記載の方法。
【発明の詳細な説明】
【技術分野】
【０００１】
本発明は、ネットワークアクセス技術に関し、特に、インターネットプロトコル（ＩＰ：Internet Protocol）アクセスネットワークにおいて保証サービス品質（ＱｏＳ：Quality of Service）を伴うサービスを提供するための方法に関する。
【背景技術】
【０００２】
現在、電気通信サービス会社のＩＰネットワークによって提供可能なデータサービスには限りがある。ブロードバンドネットワークへの加入者数が増大するにつれて、ブイオーアイピー（ＶｏＩＰ：Voice over IP）やテレビ会議など、ＩＰネットワーク上のサービス要求が増大している。これらのリアルタイムサービスにはＱｏＳについて厳しい要求が課されている。
【０００３】
図１に示すように、ＩＰネットワーク全体は、アクセス／エッジレイヤ及びバックボーンレイヤで構成されている。加入者に最も近いネットワーク装置を含むアクセス／エッジレイヤは、一般に、レイヤ２スイッチ及びレイヤ３スイッチなどのローエンドスイッチ、ディジタル加入者線集線装置（ＤＳＬＡＭ：Digital Subscriber Line Access Multiplexer）、並びにエッジルータで構成されている。電気通信サービス会社のブロードバンドＩＰネットワークへの加入者は、ＸＤＳＬ／イーサネット（Ｒ）など様々な方法を通じてブロードバンドアクセスネットワークへアクセスすることができる。ブロードバンドアクセスネットワークは、全てのトラヒックストリームを、バックボーンネットワークに接続されたエッジルータに集める。エッジルータは、このアクセスネットワークにおけるトラヒックストリームのルーティング及び転送を行うとともにアクセスされた加入者を管理する役割を負っている。
【０００４】
ＩＰネットワークにおいては、ＶｏＩＰやテレビ電話など加入者のサービス要求に対してエンドツーエンドのＱｏＳを提供するために、ＩＰバックボーンネットワークのみならずアクセスネットワークにおいてもエンドツーエンドの保証ＱｏＳを提供する必要がある。
【０００５】
設計思想により、一般に従来のＩＰネットワークには保証ＱｏＳに対する手段は存在しない。ネットワークアプリケーションの開発に適合させるため、統合サービスモデル及び差別化サービスモデルを含む、ＱｏＳを保証するための様々な方法が提案されてきた。しかし、これらの方法はネットワークレイヤ技術に関するものであり、アクセスネットワークには利用できない。アクセスネットワーク内の装置は主にリンクレイヤに位置するためである。
【発明の開示】
【発明が解決しようとする課題】
【０００６】
現在、ＩＰアクセスネットワークに対してエンドツーエンドの保証ＱｏＳを提供する方法として２つの方法がある。
【０００７】
第１の従来方法では、イーサネット（Ｒ）フレームの優先度についての概念が、イーサネット（Ｒ）環境に関するＩＥＥＥ８０２.１ｐプロトコルに定義されている。一般に、通常のイーサネット（Ｒ）フレームに対しては優先度の定義は存在しないが、８０２.１ｐ及び８０２.１ｑにおいては、イーサネット（Ｒ）フレームに４バイトが追加されている。この４バイトのうち３ビットはイーサネット（Ｒ）フレームの優先度を表すのに用いられる。非常に高いリアルタイム性が要求されるデータパケットを送る際、ホスト又はスイッチは、ＭＡＣフレームヘッダに追加の３ビットを設定して、フレームが高い優先度を有することを示す。このようにして、イーサネット（Ｒ）スイッチにおいてデータトラヒックが混雑している場合、高い優先度を持つデータパケットが最初に転送される。図２は、一般的なイーサネット（Ｒ）フレームフォーマットを示し、図３は、８０２.１ｑ及び８０２.１ｐプロトコルにより定義されたイーサネット（Ｒ）フレームフォーマットを示している。図２及び図３に示すように、ＴＣＩ、Ｐ、Ｃ、及びＶＬＡＮのフィールドが、一般的なイーサネット（Ｒ）フレームにおいて新たに追加されている。これらのフィールドのうち、Ｐフィールドは３ビットを用いて０から７の８つのレベルに設定可能な優先度を表す。
【０００８】
アクセスネットワークに用いられる従来の８０２.１ｐプロトコルでは、Ｐフィールドの３ビットで表される優先度は、ポート、メディアアクセス制御（ＭＡＣ：Media Access Control）アドレス、又は仮想ブリッジＬＡＮ（ＶＬＡＮ：Virtual Bridged LAN）情報に基づいて設定される。そして、アクセスネットワーク装置は、優先度情報に従って送信及び転送動作を行う。
【０００９】
従来の８０２.１ｐのＱｏＳプロセスにおいてはポート、ＭＡＣアドレス又はＶＬＡＮ情報に基づいて優先度情報を設定することができるけれども、優先度は加入者に関連付けることができるのみであり、加入者の特定サービスに関連付けることはできない。従って、異なるサービスには異なる優先度を持たせるという要求を満たすことはできない。また、この方法ではネットワークトポロジやリソースを得ることができないため、加入者サービスに対してネットワークリソースに基づいて保証ＱｏＳを提供できるかどうかを判断することができない。
【００１０】
現在、ＡＴＭ ＤＳＬＡＭに対するＱｏＳ制御方法は存在しない。第２の従来方法では、保証ＱｏＳを提供する少数のＡＴＭ ＤＳＬＡＭに対して、特別の加入者に対してリモートターミナルユニット（ＲＴＵ：Remote Terminal Unit）からブロードバンドアクセスサーバ（ＢＡＳ：Broadband Access Server）への相手先固定仮想回線（ＰＶＣ：Permanent Virtual Circuit）が確立され、又は、ＤＳＬＡＭからＢＡＳへのＰＶＣ（但し、ユーザポートに結合されている）が確立される。このようにして、トラヒックストリームを一定ビットレート（ＣＢＲ：Constant Bit Rate）モードで送信することができる。ただ一人の加入者が広帯域全体を使用するため、アクセスネットワークの当該セグメントにおいては、加入者サービスに対するＱｏＳを保証することができる。
【００１１】
ただ一人の加入者が広帯域全体を使用するという方法は、専用線の方法に類似している。この方法では加入者に対してアクセスネットワークのあるセグメントにおいてＱｏＳを保証することができるけれども、収束特性を有するアクセスネットワークに広げるには適しておらず、少数の特定の加入者に対して保証ＱｏＳを提供することができるのみである。ＰＶＣを確立する方法では、ネットワークリソースを共有することができない。従って、この方法は特定のアプリケーションに対して用いることができるのみであり、アクセスネットワークにおいて一般的に用いることはできない。
【００１２】
本発明の目的は、アクセスネットワークにおいて保証ＱｏＳを伴うサービスを提供するための方法を提供することである。
【課題を解決するための手段】
【００１３】
本発明に係る方法は、次のステップ、つまり、
ａ．ネットワークサービス制御レイヤのサービスエンティティが、サービス要求を解析することにより、発呼側の加入者及び被呼側の加入者のアドレス並びに当該サービスに対するＱｏＳ要求を取得し、ＩＰアクセスネットワークの対応するアクセスネットワークにネットワークリソースを要求するステップと、
ｂ．前記アクセスネットワークのエッジルータが、現在のリソース状態に基づいて、当該サービスに対して十分なリソースを提供できるかどうかを判断し、提供できる場合はステップｃを実行し、提供できない場合は加入者のサービス要求を拒絶するステップと、
ｃ．当該サービスにおいて前記アクセスネットワークの上りトラヒックストリームが存在する場合、前記エッジルータはアクセスネットワーク端末装置に対して前記サービスに対するＱｏＳ要求を通知し、前記アクセスネットワーク端末装置は前記ＱｏＳ要求に従って前記トラヒックストリームを処理し、
当該サービスにおいて前記アクセスネットワークの下りトラヒックストリームが存在する場合、前記エッジルータは、当該サービスに対するアクセスネットワーク内の優先度を設定し、前記トラヒックストリームを転送するステップと、
を有する。
【００１４】
本発明において、エッジルータは、アクセスネットワークのリソースを管理するとともに、アクセスネットワークの端末装置にサービスのＱｏＳ要求を通知して、その端末装置にストリーム分類動作及びＱｏＳ処理を行わせることができる。サービスに対する十分なリソースがないとき、そのサービス要求は拒絶される。このようにして、実際のトラヒックストリームのＱｏＳを保証することができる。本発明に係る方法と、バックボーンネットワークにおいて保証ＱｏＳを伴うサービスを提供する方法とを組み合わせることにより、保証ＱｏＳを伴うエンドツーエンドのサービスをネットワーク全体にわたって提供することができる。本発明によって、アクセスネットワーク装置がサービスを特定することができず、また、リソースに関する情報を得たりリソースを管理したりすることができないために、ＱｏＳを保証することができないという従来技術の不都合が克服される。
【発明を実施するための最良の形態】
【００１５】
図１を参照して、本発明ではアクセスネットワークに対する従来のネットワーキング方法に変更はない。ＩＰネットワーク全体は、アクセス／エッジレイヤ及びバックボーンレイヤで構成されている。加入者に最も近いネットワーク装置を含むアクセス／エッジレイヤは、一般に、レイヤ２スイッチ及びレイヤ３スイッチなどのローエンドスイッチ、ＤＳＬＡＭ、並びにエッジルータで構成されている。電気通信サービス会社のＩＰネットワークへの加入者は、ＸＤＳＬ／イーサネット（Ｒ）など様々な方法を通じてＩＰアクセスネットワークへアクセスすることができる。ＩＰアクセスネットワークは、全てのトラヒックストリームを、バックボーンネットワークに接続されたエッジルータに集める。エッジルータは、このアクセスネットワークにおけるトラヒックストリームのルーティング及び転送を行うとともにアクセスされた加入者を管理する役割を負っている。ＩＰアクセスネットワークは論理的に複数のアクセスネットワークで構成されており、各加入者はその中の１つのアクセスネットワークによって管理される。各アクセスネットワークのルータは、当該アクセスネットワークにおいてアクセスネットワークに対するリソース管理及びＱｏＳ制御を行う役割を負っている。トラヒックストリームがアクセスネットワークから離れた後、ＩＰバックボーンネットワークは、そのトラヒックストリームに対して保証ＱｏＳを提供する役割を負っている。
【００１６】
アクセスネットワークは、エッジルータによって管理されるアクセスネットワークエリアとして定義される。アクセスネットワークエリア内の加入者はすべてエッジルータを通じてバックボーンネットワークにアクセスすることができる。機能の点から、アクセスネットワーク内のアクセスネットワーク装置は３つのタイプに分けることができる。第１のタイプはエッジルータＲ１及びＲ２などのエッジルータである。アクセスネットワークの出力装置として、エッジルータはアクセスネットワークとバックボーンネットワークとを接続するために用いられる。一方、これはユーザがインターネットにアクセスするための最初のＩＰホップである。第２のタイプは、ＸＤＳＬアクセス用のＤＳＬＡＭやＬＡＮアクセス用のＬ２スイッチなど加入者に最も近い装置である、アクセスネットワークの端末装置である。第３のタイプの装置は、第１のタイプの装置と第２のタイプの装置との間に位置するネットワーク装置である。実際上は、この第３のタイプの装置はネットワークに存在していても存在していなくても良い。ＸＤＳＬの場合、第３のタイプの装置は存在しなくても良く、ＬＡＮアクセスの場合は、第３のタイプの装置は、通常、スイッチＬ２及びＬ３である。例えば、アクセスネットワークエリア１は、エッジルータＲ１を通じて管理されバックボーンネットワークに接続されており、アクセスネットワーク１の加入者は、スイッチＬ２−１などを通じてエッジルータＲ１にアクセスすることができる。
【００１７】
本発明では、アクセスネットワーク端末装置は、エッジルータからＱｏＳコマンドを受け取って処理する機能と、トラヒックストリームを分類する機能とを有する。ここで、アクセスネットワーク端末装置は、加入者に最も近い、アクセスネットワークのレイヤ２又はより上位のレイヤのネットワーク装置を指している。一方、この端末装置は、ＱｏＳパラメータに従ってトラヒックストリームを識別するとともに、帯域幅を管理し優先度を設定する必要がある。
【００１８】
図４に示すように、本発明に係る方法は、次のステップを有する。
【００１９】
ステップＡでは、ネットワークサービス制御レイヤのサービスエンティティが、ＱｏＳ要求を伴うサービス要求を解析して、発呼側の加入者及び被呼側の加入者のアドレス並びに当該サービスに関するＱｏＳパラメータを取得し、ＩＰアクセスネットワークの対応するアクセスネットワークにネットワークリソースを要求する。
【００２０】
アクセスネットワーク内の加入者は、ＶｏＩＰのコールやテレビ電話のコールなど保証ＱｏＳを伴うサービスの利用を欲する場合、対応するサービスエンティティに対して要求を出す必要がある。サービスエンティティは、その要求を受け取ると、加入者のサービス権を判断し、発呼側の加入者及び被呼側の加入者のアドレス解析を行う。そして、サービスエンティティは、帯域幅など、当該会話に関するＱｏＳパラメータを決定し、必要なネットワークリソースをエッジルータに要求する。ネットワークリソースをエッジルータに要求する方法は、直接的なものでも、ポリシーサーバやリソースコントローラなどを介する間接的なものでも良い。リソース要求に用いられるインタフェースプロトコルは、バックボーンネットワークにおいて保証ＱｏＳを提供する実施方法に応じて、内部インタフェースプロトコルとオープンインタフェースプロトコルの何れであっても良い。
【００２１】
サービスエンティティからエッジルータに送られるＱｏＳパラメータには、帯域幅、トラヒックストリームの方向、及びトラヒックストリーム識別用のパラメータが含まれる（しかし、これらに限定されない）。サービスストリームの方向は、一方向（上り又は下り）でも双方向でも良い。アプリケーション環境に応じて、トラヒックストリーム識別用のパラメータは、５要素のグループ（送信元／送信先ＩＰアドレス、送信元／送信先ポート番号、及びプロトコル番号）でも、４要素のグループ（送信元／送信先ＩＰアドレス、送信先ポート番号、及びプロトコル番号）でも、７要素のグループでも良い。
【００２２】
ステップＢでは、アクセスネットワークのエッジルータが、アクセスネットワークが当該サービスに対して十分なリソースを提供できるかどうかを判断する。提供できる場合はステップｃを実行し、提供できない場合はエッジルータはネットワークサービス制御レイヤに対して加入者のサービス要求を拒絶するよう求める。
【００２３】
アクセスネットワークのリソース及びトポロジ構造をあらかじめ計画した後、エッジルータは、静的コンフィギュレーション又は動的管理プロトコルを通じてネットワークトポロジ構造及び各インタフェースの帯域幅リソースに関する情報を取得し、アクセスネットワークの内部で割り当てられるＩＰアドレスなどの加入者識別子とアクセスネットワークの端末装置との間の結び付け関係を記録する。帯域幅リソースは、イーサネット（Ｒ）及びＩＰ ＤＳＬＡＭアクセスモードに対するイーサネット（Ｒ）リンクの帯域幅を指し、また、ＡＴＭ ＤＳＬＡＭアクセスモードに対するＤＳＬＡＭからＢＡＳへの帯域幅を指している。
【００２４】
サービスに対するリソース要求を受け取ると、エッジルータは、サービス要求の関連パラメータに従って、アクセスネットワークの端末装置と当該エッジルータとの間の帯域幅を計算する。アクセスネットワークに十分なリソースが存在しない場合、エッジルータは、対応するサービスエンティティに対してサービス要求を拒絶するよう通知する。一方、十分なリソースが存在する場合は、対応するサービスエンティティに情報を送り返す。サービスエンティティから確認情報を受け取ると、エッジルータは、トラヒックストリームの方向に従って対応する処理を行う。
【００２５】
ステップＣでは、当該サービスにアクセスネットワークの上りトラヒックストリームがある場合、エッジルータはアクセスネットワーク端末装置に対してトラヒックストリームのＱｏＳパラメータを通知し、当該端末装置はそのＱｏＳパラメータに従ってトラヒックストリームを処理する。当該サービスにアクセスネットワークの下りトラヒックストリームがある場合、エッジルータはアクセスネットワークにおける当該トラヒックストリームの優先度を定め、当該トラヒックストリームを転送する。
【００２６】
詳細には、アクセスネットワークのエッジルータは、トラヒックストリームに対し、その方向に基づいて、次の処理を行う。
【００２７】
上りサービスストリームに対しては、エッジルータは、ＱｏＳパラメータを含むＱｏＳコマンドを、管理プロトコルを通じてアクセスネットワークの対応するアクセスネットワーク端末装置に送り、このアクセスネットワーク端末装置に対してＱｏＳパラメータに基づいてトラヒックストリームを処理するよう求める。アクセスネットワーク端末装置に送られるＱｏＳコマンドには、帯域幅、及びトラヒックストリーム識別用のパラメータが含まれる。アプリケーション環境に応じて、トラヒックストリーム識別用のパラメータは、５要素のグループ（送信元／送信先ＩＰアドレス、送信元／送信先ポート番号、及びプロトコル番号）でも、４要素のグループ（送信元／送信先ＩＰアドレス、送信先ポート番号、及びプロトコル番号）でも、７要素のグループでも良い。トラヒックストリームのＱｏＳパラメータを受け取ると、アクセスネットワーク端末装置は、トラヒックストリーム識別用のパラメータに基づいてストリーム分類テーブルの項目を設定し、加入者の上りトラヒックストリームに対してストリームの分類を実行し、このストリーム分類結果に基づいて対応する処理を行う。ストリーム分類テーブルと一致するサービスストリームに対しては、帯域幅パラメータに従って帯域制限などの帯域幅管理を行う。イーサネット（Ｒ）アクセス又はＩＰ ＤＳＬＡＭアクセスに対するトラヒックストリームを転送する際は、パケットをまず高い優先度に設定した後に転送を行う。ＡＴＭ ＤＳＬＡＭアクセスに対するトラヒックストリームを転送する際は、サービスストリームを更なる転送に対する保証ＱｏＳを伴ってＰＶＣで送信する。このように、保証ＱｏＳを伴うＰＶＣの帯域幅をストリーム分類結果に従って割り当てるため、加入者のトラヒックストリームによって帯域幅を共有することができ、これにより、ただ一人の加入者がＣＢＲモードでＱｏＳを保証するために広帯域幅全体を使用してしまうという従来方法の不利益が克服される。ストリーム分類テーブルと一致しないトラヒックストリームは、保証ＱｏＳを伴わないトラヒックストリームとして処理される。イーサネット（Ｒ）アクセス又はＩＰ ＤＳＬＡＭアクセスに対する保証ＱｏＳを伴うトラヒックストリームを転送する際は、パケットをまず低い優先度に設定した後に転送を行い、ＡＴＭ ＤＳＬＡＭアクセスに対しては、トラヒックストリームを更なる転送のためＵＢＲモードでＰＶＣに送信する。
【００２８】
下りトラヒックストリームに対しては、エッジルータは、関連コマンドをアクセスネットワーク端末装置に送信する必要はない。トラヒックストリームの優先度をバックボーンネットワークを通じて又はトラヒックストリーム自身で決定できる場合は、受信したトラヒックストリームに、直接トラヒックストリームのサービスレベルに従ってアクセスネットワーク内の優先度を設定した後、転送を行う。そうでない場合、エッジルータは、まずストリーム分類を行い、その後、トラヒックストリームを識別した後にアクセスネットワーク内の優先度に基づいてトラヒックストリームを転送する。
【００２９】
上り方向及び下り方向のトラヒックストリームに対しては、エッジルータは、それぞれ上り方向の処理と下り方向の処理に従ってトラヒックストリームを処理する。
【００３０】
発信者と受信者が同じアクセスネットワークの加入者である場合は、上記の手順に従って、サービス手順を別々に実施する。
【００３１】
エッジルータからＱｏＳコマンドを受信する前は、アクセス端末装置は、加入者からのトラヒックストリームを、保証ＱｏＳを伴わないサービスとして扱う。すなわち、アクセス端末装置は、パケットをまず低い優先度に設定した後に転送する。ＡＴＭ ＤＳＬＡＭアクセスに対しては、サービスストリームを更なる転送のためＵＢＲモードでＰＶＣに送信する。
【００３２】
エッジルータとアクセス端末装置の間に位置する第３のタイプの装置は、ただＩＰパケットをそのサービスレベルに従って転送するだけである。
【００３３】
加入者がサービスを終了した後に、上りのトラヒックストリームがある場合、アクセスネットワーク端末装置は、エッジルータからＱｏＳリリースコマンドを受信した後、ストリーム分類テーブルの対応する項目を削除する。
【００３４】
図５に示すように、アクセスネットワーク１の加入者１は、保証ＱｏＳを伴うトラヒックストリームをアクセスネットワーク２の加入者２に送信したい。まず、加入者１は、加入者１及び２のアドレス、つまり、発呼側の加入者及び被呼側の加入者のアドレス、並びに関連ＱｏＳパラメータを解析した後、サービス要求を送信し、ネットワーク制御レイヤのサービスエンティティは、当該サービスに対するアクセスネットワーク１及び２からのネットワークリソースを要求する。エッジルータＲ１及びＲ２は、それぞれ、アクセスネットワーク１及び２の現在のリソース状況に基づいて、当該サービスに対して十分なリソースを提供できるかどうかを判断する。アクセスネットワーク１及び２の両方が十分なリソースを提供できる場合、エッジルータＲ１及びＲ２は、情報をサービスエンティティに返す。サービスエンティティから確認メッセージを受信した後、アクセスネットワーク１のエッジルータＲ１は、ＱｏＳパラメータを含むＱｏＳコマンドを端末装置Ｌ２−１に送信する。ＱｏＳパラメータに従って、端末装置Ｌ２−１は、ストリーム分類テーブルの項目を設定して加入者１の上りトラヒックストリームに対するストリーム分類動作を行い、ストリーム分類動作の結果とストリーム分類テーブルの項目とを一致させる。項目と一致するトラヒックストリームは、帯域幅パラメータに従って管理、転送される。不一致のトラヒックストリームは、保証ＱｏＳを伴わないトラヒックストリームとして処理される。同時に、下りトラヒックストリームに対しては、その優先度をバックボーンネットワークに対する方法を通じて又はトラヒックストリーム自身で得ることができる場合は、アクセスネットワーク２のエッジルータＲ２は、関連コマンドをアクセスネットワーク端末装置に送信することなく、バックボーンネットワークから転送されたトラヒックストリームのサービスレベルを当該アクセスネットワークで用いられる優先度に変換した後、そのトラヒックストリームを端末装置Ｌ２−２に転送する。この端末装置Ｌ２−２から加入者２はトラヒックストリームを受信することができる。そうでない場合は、エッジルータＲ２は、まずストリーム分類動作を行い、その後、トラヒックストリームを端末装置Ｌ２−２に転送する。この端末装置Ｌ２−２から加入者２はトラヒックストリーム識別後にそのトラヒックストリームを受信することができる。
【００３５】
アクセスネットワーク１又は２が当該サービスに対して十分なリソースを提供できない場合、対応するエッジルータは、加入者１のサービス要求を拒絶するようサービスエンティティに通知する。
【００３６】
加入者１と加入者２の間のトラヒックストリームが双方向である場合、エッジルータＲ１及びＲ２は、ＱｏＳコマンドを端末装置Ｌ２−１及びＬ２−２にそれぞれ送信するのみならず、バックボーンネットワークから受信したサービスストリームを転送する必要がある。
【００３７】
上記から分かるように、本発明に係る方法によって、ブロードバンドアクセスネットワーク上で保証ＱｏＳを伴うサービスを提供することができる。ＩＰバックボーンネットワークに対する方式と本発明に係る方法とを組み合わせることによって、保証ＱｏＳを伴うエンドツーエンドサービスを提供することができる。
【図面の簡単な説明】
【００３８】
【図１】ＩＰネットワークのアーキテクチャを示す図
【図２】一般的なイーサネット（Ｒ）フレームのフォーマットを示す概略図
【図３】８０２.１ｑ及び８０２.１ｐプロトコルにより定義されたイーサネット（Ｒ）フレームのフォーマットを示す概略図
【図４】本発明のフローチャート図
【図５】本発明の一実施の形態に係るＩＰネットワークのアーキテクチャを示す図
【図１】
2004260832.tif 000003
【図２】
2004260832.tif 000004
【図３】
2004260832.tif 000005
【図４】
2004260832.tif 000006
【図５】
2004260832.tif 000007